(57)【要約】      （修正有）【課題】アロマオイルを放散させていることを意識することなく、通常の置物と同様に使用できるアロマ放散器を提供する。【解決手段】アロマ放散器１は、上部の開口部２ｃと、開口部に繋がりアロマ水溶液を収容するための収容部を有する容器部材２と、容器部材の開口部に被さる蓋を兼ねる台座部３ａと、台座部の下方に垂下して収容部にアロマ水溶液へ浸かるように挿入される水没部３ｃと、台座部の上方に位置して水没部が揚水するアロマ水溶液を蒸発により放散させる気化部３ｂが素焼き陶器で一体成型された蒸発部材３と、を備え、気化部は、あたかも台座部に載置されているように見える形態の像に形成されている。【選択図】図２
0003222373.tif 000002
【実用新案登録請求の範囲】
【請求項１】
上部の開口部とこの開口部に繋がりアロマ水溶液を収容するための収容部を有する容器部材と、
前記容器部材の開口部に被さる蓋を兼ねる台座部と、前記台座部の下方に垂下して前記収容部にアロマ水溶液へ浸かるように挿入される水没部と、前記台座部の上方に位置して前記水没部が揚水するアロマ水溶液を蒸発により放散させる気化部が素焼き陶器で一体成型された蒸発部材を備え、
前記気化部は、あたかも前記台座部に載置されているように見える形態の像に形成されていることを特徴とするアロマ放散器。
【請求項２】
前記容器部材は、素焼き陶器で形成され、前記収容部に釉薬が塗布されている、請求項１に記載のアロマ放散器。
【請求項３】
前記台座部と前記本体部は、１つの柱体を分割したかのように見えるように形成され、
前記水没部の横断面形状は、前記開口部の開口形状と略同じに形成されている請求項２に記載のアロマ放散器。
【請求項４】
前記気化部は、羊や山羊を含む陸上動物を模した形状であり、
前記気化部よりも下側に、前記陸上動物との関連性を想起させる絵柄を表示した表示部を有する請求項１〜３の何れか一項に記載のアロマ放散器。
【請求項５】
前記表示部は、前記陸上の動物が生活している環境を連想させる絵柄を表示している請求項４に記載の何れか一項に記載のアロマ放散器。
【請求項６】
前記気化部は、植物の花を模した形状であり、
前記容器部材が透明又は半透明であり、
前記容器部材が、その外周面に、前記容器部材の中の水を、前記気化部に吸い上げる茎や蔓の形状を有する請求項１に記載のアロマ放散器。
【考案の詳細な説明】
【技術分野】
【０００１】
本考案は、アロマ放散器に関し、更に詳細には、容器内のアロマ水溶液を自然気化させることにより、室内や車内等にアロマを放散することができるアロマ放散器に関する。
【背景技術】
【０００２】
従来から、アロマオイルを拡散させる方法として、アロマオイルを加熱することにより気化して拡散させる加熱方式や、アロマオイルが混入されたアロマ水溶液を噴射により霧状にして拡散させる直接噴霧方式など、様々な方法が用いられている。
【０００３】
特許文献１には、加熱方式のうち、発熱剤によって生じた反応熱によりアロマオイルを加熱させるものが記載されている。特許文献１に記載のアロマオイルの放散方法によれば、火気を使用するときに比べて安全に用いることができる。
【０００４】
しかし、一見してアロマ放散器とわかるものを使用すると、アロマオイルを放散させる空間の美観上好ましくないという問題があった。また、アロマオイルを放散させていることを意識することなく、香りを楽しみたいという要望もあった。
【先行技術文献】
【特許文献】
【０００５】
【特許文献１】特開２０１７−７８５２９号公報
【考案の概要】
【考案が解決しようとする課題】
【０００６】
本考案は、上記の問題や要望に鑑み、アロマオイルを放散させていることを意識することなく、通常の置物と同様に使用できるアロマ放散器を提供することを課題とする。
【課題を解決するための手段】
【０００７】
上記課題を解決することを目的としてなされた本考案のアロマ放散器の構成は、上部の開口部と開口部に繋がりアロマ水溶液を収容するための収容部を有する容器部材と、容器部材の開口部に被さる蓋を兼ねる台座部と、台座部の下方に垂下して収容部にアロマ水溶液へ浸かるように挿入される水没部と、台座部の上方に位置して水没部が揚水するアロマ水溶液を蒸発により放散させる気化部が素焼き陶器で一体成型された蒸発部材を備え、気化部は、あたかも台座部に載置されているように見える形態の像に形成されていることを特徴とする。
【０００８】
容器部材は、素焼き陶器で形成され、収容部に釉薬が塗布されていることが好ましい。
【０００９】
台座部と本体部は、１つの円柱体を分割したかのように見えるように形成され、水没部の横断面形状は、開口部の開口形状と略同じに形成されていることが好ましい。
【００１０】
気化部は、羊や山羊を含む陸上動物を模した形状であり、気化部よりも下側に、陸上動物との関連性を想起させる絵柄を表示した表示部を有することが好ましい。
【００１１】
表示部は、陸上の動物が生活している環境を連想させる絵柄を表示していることが好ましい。
【００１２】
気化部材は、植物の花を模した形状である場合には、容器部材が透明又は半透明であり、容器部材が、その外周面に、容器部材の中の水を、気化部に吸い上げる茎や蔓の形状を有することが好ましい。
【考案の効果】
【００１３】
本考案は、気化部が、あたかも台座部に載置されているように見える形態の像に形成されていることから、気化部の形状の置物を台座に置いていると認識させることができ、通常の置物と同様に使用することができる。
【図面の簡単な説明】
【００１４】
【図１】本考案のアロマ放散器の一例の斜視図。
【図２】図１のアロマ放散器の分解斜視図。
【図３】図１のアロマ放散器の縦断面図。
【図４】本考案のアロマ放散器の他の例の斜視図。
【図５】本考案のアロマ放散器の別の例の斜視図。
【考案を実施するための形態】
【００１５】
〔第１実施形態〕
次に、図１〜３を参照して、本考案のアロマ放散器の第１実施形態について説明する。
本実施形態のアロマ放散器１は、図１に示すように、アロマオイルが混入されたアロマ水溶液Ｌを収容する容器部材２と、容器部材２に載置され、収容されているアロマ水溶液Ｌに水没される水没部３ｃを有する蒸発部材３と、を有する。
アロマ放散器１は、蒸発部材３が素焼きの陶器製である。そのため、蒸発部材３の全体がポーラスであるから、アロマ水溶液Ｌの中に水没部３ｃを浸けると、毛細管現象により容器部材２の中のアロマ水溶液Ｌを吸上げて、大気中に露出している蒸発部材３の気化部３ｂから自然気化（蒸発）させて、アロマ放散器１が置かれている空間にアロマ水溶液Ｌを放散させる。
以下に、アロマ放散器１を構成する前記容器部材２と蒸発部材３について説明する。
【００１６】
［容器部材２］
容器部材２は、図２及び図３に示すように、有底の例えば円筒状に形成された本体部２ａと、本体部２ａの底に対向する天井部２ｂと、天井部２ｂの略中央に形成されている開口部２ｃと、開口部２ｃと繋がり本体部２ａの中空部分に形成されたアロマ水溶液Ｌを収容する収容部２ｄとを備える。
なお、容器部材２は、三角形や四角形を含む多角形の有底筒状に形成されていてもよい。
【００１７】
本体部２ａは、蒸発部材３と同様に素焼きの陶器製である。これにより、利用者に、材質の面から、全体として一体感を感じさせることができる。
【００１８】
収容部２ｄの底面２ｇと内周面２ｈには、図３に示すように、容器部材２からのアロマ水溶液Ｌの蒸発を防ぐために釉薬４が塗布されている。
【００１９】
容器部材２は、収容するアロマ水溶液Ｌの量に応じて、適宜の大きさにすることができる。後述する蒸発部材３も同様である。
【００２０】
［蒸発部材３］
蒸発部材３は、図３に示すように、容器部材２の上に載置されて開口部２ｃを塞ぐ蓋としての役割も有する台座部３ａと、台座部３ａの上に羊像があたかも載置されているように形成された気化部３ｂと、台座部３ａの下方に垂下して収容部２ｄに収容されているアロマ水溶液Ｌに浸かる水没部３ｃと、を有する。
【００２１】
台座部３ａと本体部２ａは、別部材であるが遠目には一つのものに見えるように形成されている。具体的には図３に示すように、１つの円柱体を台座部３ａと本体部２ａに分割した形で形成されている。図３の例では、台座部３ａが、円板状に形成され、その直径が、容器部材２の本体部２ａの直径と略等しく形成されている。
【００２２】
なお、台座部３ａと本体部２ａは、全体が一つの、テーパ状若しくは逆テーパ状の略截頭錐体、又は略糸巻き形状、或いは略鼓形状、その他の一つの形状に見えるように形成されていてもよい。
さらに、台座部３ａは、少なくともその下面３ｆに、台座部３ａからのアロマ水溶液Ｌの蒸発を防ぐために、釉薬４が塗布されていてもよい。
【００２３】
気化部３ｂは、羊が４本の脚を折りたたんで座っている像に形成されている。気化部３ｂの羊像は、あたかも台座部３ａに座った姿勢で載置されているように見える（図１参照）。
【００２４】
水没部３ｃは、台座部３ａの下方に垂下してテーパを付けた略柱状に形成されており、収容部２ｄに先端側から挿入される。水没部３ｃは、基端側の横断面形状が開口部２ｃの開口形状と略同じに形成されている。これにより、蒸発部材３は、水没部３ｃが開口部２ｃに挿入されることにより、所望の位置に維持される。
【００２５】
次のアロマ放散器１の奏する効果について説明する。
アロマ放散器１は、上部の開口部２ｃと、この開口部２ｃに繋がりアロマ水溶液Ｌを収容するための収容部２ｄを有する容器部材２と、開口部２ｃに被さる蓋を兼ねる台座部３ａと、この台座部３ａの下方に垂下して収容部２ｄにアロマ水溶液Ｌへ浸かるように挿入される水没部３ｃと、台座部３ａの上方に位置して水没部３ｃが揚水するアロマ水溶液Ｌを蒸発により放散させる気化部３ｂが素焼き陶器で一体成型された蒸発部材３と、を備えている。これにより、気化部３ｂからアロマ水溶液Ｌを蒸発させて放散させることができる。
さらに、気化部３ｂが、あたかも台座部３ａに載置されているように見えるように形成されている。これにより、利用者に、台座の上に羊の置物が置かれていると認識させることができ、アロマ放散器１の存在を悟られずに、アロマ水溶液Ｌを放散させることができ、アロマ放散器１を意識させない置物として用いることができる。
【００２６】
さらに、容器部材２は、蒸発部材３と同様に素焼き陶器で形成されているから、蒸発部材３の台座部３ａと、材質面から一体感を感じさせることができ、これにより見る者に、気化部３ｂより下側の台座部３ａと本体部２ａが略一体となった気化部３ｂの台座と認識させることができる。
また、収容部２ｄに釉薬が塗布されている。これにより、容器部材２の側壁や底からアロマ水溶液Ｌが蒸発するのを防ぐことができるので、容器部材２からアロマ水溶液Ｌが滲み出ることはない。容器部材２からアロマ水溶液Ｌが滲み出ないから、容器部材２の下に皿などを敷く必要がなく、見る者に、アロマ放散器１ではなく置物と認識させることができる。
【００２７】
また、台座部３ａと容器部材２は、１つの円柱体を分割したように形成されている。これにより、材質面だけでなく、形状面からも容器部材２と台座部３ａに一体感を感じさせることができる。
そして、水没部３ｃの横断面形状は、開口部２ｃの開口形状と略同じに形成されている。これにより、容器部材２に載置された蒸発部材３は、位置がずれることはないから、アロマ放散器１を動かしても、台座部３ａと本体部２ａの一体感が損なわれることはない。
【００２８】
なお、蒸発部材３の気化部３ｂの形態は、前記羊以外の哺乳類、爬虫類、両生類、昆虫、植物、その他の陸上生物や、それらの生物以外の器物、例えば恐竜、怪獣、ロケット、船、飛行機、新幹線、自動車などに似せた形態にすることもできる。
【００２９】
なお、容器部材２を、素焼きの陶器製とするのではなく、不透明なガラス製、不透明なプラスチック製にすることもできる。
【００３０】
〔第２実施形態〕
次に、第２実施形態について図４を参照して説明する。
第１実施形態と同じ構成要素には、第１実施形態と同じ符号を付し、説明を省略する。
【００３１】
図４に示すように、本実施形態のアロマ放散器１Ａは、第１実施形態と異なり、気化部３ｂの下側で本体部２ａを含む部分に、気化部３ｂに付与された形態との関連性を想起させる表示部５が形成されている。例えば、気化部３ｂが羊や山羊であれば、表示部５には、山岳牧草地などの絵柄が表示される。この構成により、あたかも台座部３ａに載置されているように見える気化部３ｂの形態と、台座部３ａに設けた表示部５とが一つの風景、情景を想起させる。
【００３２】
本実施形態のアロマ放散器１Ａは、第１実施形態と異なり、上記に述べたように、気化部３ｂの下側で本体部２ａを含む部分に、気化部３ｂに付与された形態との関連性を想起させる表示部５を形成するが、その表示内容として、気化部３ｂが羊や山羊であれば、本体部２ａの表示部５を茶色の塗料で着色し、台座部３ａの表示部５を緑色の塗料で着色することがある。この構成にすると、気化部３ｂの羊像が断面で表した草原の上に座っている状態の置物であるように見る者に想起させる。
【００３３】
さらに、表示部５は、台座部３ａの表示部５に草花を表わす緑色の塗料で着色し、本体部２ａの表示部５に、台座部３ａの表示部５に施した草花の根や、モグラなどの地中に住む生物の色付きの絵柄を表示していてもよい。この構成により、気化部３ｂの形態と表示部５とが一つの風景、情景を想起させる。
【００３４】
〔第３実施形態〕
次に、第３実施形態について図５を参照して説明する。
第１実施形態と同じ構成要素には、第１実施形態と同じ符号を付し、説明を省略する。
【００３５】
本実施形態のアロマ放散器１Ｂは、図５に示すように、第１実施形態のアロマ放散器１と同様に、アロマ水溶液Ｌを収容する容器部材６と、容器部材６に載置され、収容されているアロマ水溶液Ｌに水没される水没部７ｃを有する蒸発部材７とを有する点で、第１実施形態及び第２実施形態と共通する。しかし、第１実施形態のアロマ放散器１の容器部材２が素焼きの陶器製であったのに対し、本実施形態では容器部材６が透明なガラス製又はプラスチック製である。
以下に、第３実施形態のアロマ放散器１Ｂを構成する前記容器部材６と蒸発部材７について説明する。
【００３６】
［容器部材６］
容器部材６は、図５に示すように、全域が透明なガラス製又はプラスチック製であり、有底であり外周面が丸みを有する円筒状に形成された本体部６ａと、本体部６ａの上側の縁に形成された開口部６ｃと、開口部６ｃと繋がり本体部６ａの中空部分に形成されたアロマ水溶液Ｌを収容する収容部６ｄとを有する。
【００３７】
［蒸発部材７］
蒸発部材７は、蒸発部材３と同様に素焼きの陶器製であり、図５に示すように、容器部材６の上に載置されて開口部６ｃを塞ぐ蓋としての役割も有する台座部７ａと、台座部７ａの上にあたかも載置されているように見える形態に形成された気化部７ｂと、台座部７ａの下方に垂下して収容部６ｄに収容されたアロマ水溶液Ｌに浸かるように挿入される水没部７ｃとを有する。
【００３８】
台座部７ａは、略円柱状に形成された本体部６ａの外周面と同様に、全体的に丸みを有する円板状である。このように、全体として同旨の造形処理が施されている結果、見る者に台座部７ａと本体部６ａの一体感を感じさせることができる。
【００３９】
気化部７ｂは、薔薇の花を模した像（以下、花像という）に形成されている。気化部７ｂの花像は、あたかも台座部７ａに載置されているように見える形態に形成されている。
【００４０】
水没部７ｃは、台座部７ａの下方に垂下してテーパが付いた略柱状に形成されており、収容部６ｄに先端側から挿入される。
水没部７ｃの外周面には、表示部５が形成されている。例えば、気化部７ｂが花像であれば、水没部７ｃの表示部５に蔓Ｆの像が施されている。この構成により、気化部７ｂの花像は、蔓薔薇の花を想起させる。
【００４１】
なお、表示部５は、蔓Ｆのように水没部７ｃの外周面の一部に施されたものだけでなく、水没部７ｃの外周面の全体に施されてもよい。水没部７ｃの全体に形成された表示部５の例としては、例えば茎の像を挙げられる。
また、表示部５は、本体部６ａに設けられていてもよい。例えば、本体部６ａの外面に、収容部６ｄに収容されているアロマ水溶液Ｌが池の水であるとして、池や水辺に生息する草木の絵を描いた表示部５が設けられていてもよい。
【００４２】
さらに、本実施形態では、本体部６ａは、全域が透明なガラス製又はプラスチック製であるが、半透明なガラス製又はプラスチック製でもよい。
【００４３】
以上、本考案の好適な実施形態を説明したが、これ以外にも、本考案の主旨を逸脱しない限り、上記実施形態で挙げた構成を取捨選択したり、他の構成に適宜変更したりすることができる。
【符号の説明】
【００４４】
１    アロマ放散器
２    容器部材
３    蒸発部材
３ｂ  気化部
３ｃ  水没部
Ｌ    アロマ水溶液
【図１】
0003222373.tif 000003
【図２】
0003222373.tif 000004
【図３】
0003222373.tif 000005
【図４】
0003222373.tif 000006
【図５】
0003222373.tif 000007